【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
書類を綴じ込んで使用するカスタマイズされた専用ファイルを作製するファイル作製システムであって、
所定の枚葉紙への印刷を行う印刷装置と、
上記印刷装置による印刷の制御を行う情報処理装置とを備え、
上記印刷装置は、市販されているファイルを組み立て直し可能に分解して得られた当該ファイルの表表紙、裏表紙、及び背表紙を形成する紙部材が給紙されると、上記情報処理装置によって作成された印刷データに基づいて、上記紙部材に対して印刷を行う印刷手段を有し、
上記情報処理装置は、上記紙部材に対して印刷する各種項目に関するデータに基づいて上記印刷データを作成する制御手段を有すること
を特徴とするファイル作製システム。
【請求項２】
上記情報処理装置は、作製したい専用ファイルの種別毎に印刷する各種項目に関するデータをデータベースとして記憶する記憶手段を有し、
上記制御手段は、上記データベースから読み出したデータに基づいて上記印刷データを作成すること
を特徴とする請求項１記載のファイル作製システム。
【請求項３】
上記制御手段は、作製したい上記専用ファイルの種別毎に個別に印刷を実行させる印刷実行操作子が設けられた操作画面を表示手段に表示させること
を特徴とする請求項２記載のファイル作製システム。
【請求項４】
上記制御手段は、上記操作画面を介して、上記専用ファイルの種別毎に印刷する各種項目に関するデータをユーザに入力させ又は当該データを表示させること
を特徴とする請求項３記載のファイル作製システム。
【請求項５】
書類を綴じ込んで使用するカスタマイズされた専用ファイルを作製するファイル作製方法であって、
所定の枚葉紙への印刷を行う印刷装置に、市販されているファイルを組み立て直し可能に分解して得られた当該ファイルの表表紙、裏表紙、及び背表紙を形成する紙部材を給紙し、
上記印刷装置による印刷の制御を行う情報処理装置によって上記紙部材に対して印刷する各種項目に関するデータに基づいて印刷データを作成し、
上記印刷装置によって上記印刷データに基づいて上記紙部材に対して印刷を行うこと
を特徴とするファイル作製方法。
【請求項６】
所定の枚葉紙への印刷を行う印刷装置による印刷の制御を行う印刷制御装置であって、
上記印刷装置には、市販されているファイルを組み立て直し可能に分解して得られた当該ファイルの表表紙、裏表紙、及び背表紙を形成する紙部材が給紙されており、
当該印刷制御装置は、
各種情報を表示する表示手段と、
作製したい専用ファイルの種別毎に印刷する各種項目に関するデータをデータベースとして記憶する記憶手段と、
上記専用ファイルの種別毎に個別に印刷を実行させる印刷実行操作子が設けられた操作画面を上記表示手段に表示させ、上記データベースから読み出したデータに基づいて印刷データを作成する制御手段とを備えること
を特徴とする印刷制御装置。
【請求項７】
上記制御手段は、上記操作画面を介して、上記専用ファイルの種別毎に印刷する各種項目に関するデータをユーザに入力させ又は当該データを表示させること
を特徴とする請求項６記載の印刷制御装置。
【請求項８】
所定の枚葉紙への印刷を行う印刷装置による印刷の制御を行う印刷制御方法であって、
上記印刷装置には、市販されているファイルを組み立て直し可能に分解して得られた当該ファイルの表表紙、裏表紙、及び背表紙を形成する紙部材が給紙されており、
当該印刷制御方法は、
所定の印刷制御装置が、作製したい専用ファイルの種別毎に印刷する各種項目に関するデータをデータベースとして記憶手段に記憶する工程と、
上記印刷制御装置が、上記専用ファイルの種別毎に個別に印刷を実行させる印刷実行操作子が設けられた操作画面を表示手段に表示させる工程と、
上記印刷制御装置が、上記データベースから読み出したデータに基づいて印刷データを作成する工程とを備えること
を特徴とする印刷制御方法。
【請求項９】
所定の枚葉紙への印刷を行う印刷装置による印刷の制御を行うコンピュータ実行可能な印刷制御プログラムであって、
上記印刷装置には、市販されているファイルを組み立て直し可能に分解して得られた当該ファイルの表表紙、裏表紙、及び背表紙を形成する紙部材が給紙されており、
当該印刷制御プログラムは、上記コンピュータを、
作製したい専用ファイルの種別毎に印刷する各種項目に関するデータをデータベースとして記憶手段に記憶する手段、
上記専用ファイルの種別毎に個別に印刷を実行させる印刷実行操作子が設けられた操作画面を表示手段に表示させる手段、及び、
上記データベースから読み出したデータに基づいて印刷データを作成する手段として機能させること
を特徴とする印刷制御プログラム。
【手続補正２】
【補正対象書類名】明細書
【補正対象項目名】０００１
【補正方法】変更
【補正の内容】
【０００１】
本発明は、書類を綴じ込んで使用するカスタマイズされた専用ファイルを作製するファイル作製システム及びファイル作製方法に関する。また、本発明は、所定の枚葉紙への印刷を行う印刷装置による印刷の制御を行う印刷制御装置、印刷制御方法、及び印刷制御プログラムに関する。
【手続補正３】
【補正対象書類名】明細書
【補正対象項目名】００１４
【補正方法】変更
【補正の内容】
【００１４】
本発明は、このような実情に鑑みてなされたものであり、従来のアナログ的な作業を極力排除し、また、特注する必要もなく、極めて容易且つ短時間に均一質の安価なカスタマイズされた専用ファイルを作製することができるファイル作製システム及びファイル作製方法を提供することを目的とする。また、本発明は、かかるファイル作製システムに適用され、所定の枚葉紙への印刷を行う印刷装置による印刷の制御を行う印刷制御装置、印刷制御方法、及び印刷制御プログラムを提供することを目的とする。
【手続補正４】
【補正対象書類名】明細書
【補正対象項目名】００１５
【補正方法】変更
【補正の内容】
【００１５】
上述した目的を達成する本発明にかかるファイル作製システムは、書類を綴じ込んで使用するカスタマイズされた専用ファイルを作製するファイル作製システムであって、所定の枚葉紙への印刷を行う印刷装置と、上記印刷装置による印刷の制御を行う情報処理装置とを備え、上記印刷装置は、市販されているファイルを組み立て直し可能に分解して得られた当該ファイルの表表紙、裏表紙、及び背表紙を形成する紙部材が給紙されると、上記情報処理装置によって作成された印刷データに基づいて、上記紙部材に対して印刷を行う印刷手段を有し、上記情報処理装置は、上記紙部材に対して印刷する各種項目に関するデータに基づいて上記印刷データを作成する制御手段を有することを特徴としている。
【手続補正５】
【補正対象書類名】明細書
【補正対象項目名】００１７
【補正方法】変更
【補正の内容】
【００１７】
ここで、上記情報処理装置は、作製したい専用ファイルの種別毎に印刷する各種項目に関するデータをデータベースとして記憶手段に記憶しており、上記制御手段は、上記データベースから読み出したデータに基づいて上記印刷データを作成する。そして、上記制御手段は、作製したい上記専用ファイルの種別毎に個別に印刷を実行させる印刷実行操作子が設けられた操作画面を表示手段に表示させる。さらに、上記制御手段は、上記操作画面を介して、上記専用ファイルの種別毎に印刷する各種項目に関するデータをユーザに入力させ又は当該データを表示させる。
【手続補正６】
【補正対象書類名】明細書
【補正対象項目名】００１８
【補正方法】変更
【補正の内容】
【００１８】
また、上述した目的を達成する本発明にかかるファイル作製方法は、書類を綴じ込んで使用するカスタマイズされた専用ファイルを作製するファイル作製方法であって、所定の枚葉紙への印刷を行う印刷装置に、市販されているファイルを組み立て直し可能に分解して得られた当該ファイルの表表紙、裏表紙、及び背表紙を形成する紙部材を給紙し、上記印刷装置による印刷の制御を行う情報処理装置によって上記紙部材に対して印刷する各種項目に関するデータに基づいて印刷データを作成し、上記印刷装置によって上記印刷データに基づいて上記紙部材に対して印刷を行うことを特徴としている。
【手続補正７】
【補正対象書類名】明細書
【補正対象項目名】００２０
【補正方法】変更
【補正の内容】
【００２０】
さらに、上述した目的を達成する本発明にかかる印刷制御装置は、所定の枚葉紙への印刷を行う印刷装置による印刷の制御を行う印刷制御装置であって、上記印刷装置には、市販されているファイルを組み立て直し可能に分解して得られた当該ファイルの表表紙、裏表紙、及び背表紙を形成する紙部材が給紙されており、当該印刷制御装置は、各種情報を表示する表示手段と、作製したい専用ファイルの種別毎に印刷する各種項目に関するデータをデータベースとして記憶する記憶手段と、上記専用ファイルの種別毎に個別に印刷を実行させる印刷実行操作子が設けられた操作画面を上記表示手段に表示させ、上記データベースから読み出したデータに基づいて印刷データを作成する制御手段とを備えることを特徴としている。
【手続補正８】
【補正対象書類名】明細書
【補正対象項目名】００２１
【補正方法】変更
【補正の内容】
【００２１】
このような本発明にかかる印刷制御装置においては、作製したい専用ファイルの種別毎に印刷する各種項目に関するデータをデータベースとして記憶手段に記憶しており、専用ファイルの種別毎に個別に印刷を実行させる印刷実行操作子が設けられた操作画面を介して操作を行わせ、制御手段によってデータベースから読み出したデータに基づいて印刷データを作成する。そして、本発明にかかる印刷制御装置においては、市販されているファイルを組み立て直し可能に分解して得られた紙部材に対して直接印刷を行わせる。また、本発明にかかる印刷制御装置において、上記制御手段は、上記操作画面を介して、上記専用ファイルの種別毎に印刷する各種項目に関するデータをユーザに入力させ又は当該データを表示させることもできる。
【手続補正９】
【補正対象書類名】明細書
【補正対象項目名】００２２
【補正方法】変更
【補正の内容】
【００２２】
さらにまた、上述した目的を達成する本発明にかかる印刷制御方法は、所定の枚葉紙への印刷を行う印刷装置による印刷の制御を行う印刷制御方法であって、上記印刷装置には、市販されているファイルを組み立て直し可能に分解して得られた当該ファイルの表表紙、裏表紙、及び背表紙を形成する紙部材が給紙されており、当該印刷制御方法は、所定の印刷制御装置が、作製したい専用ファイルの種別毎に印刷する各種項目に関するデータをデータベースとして記憶手段に記憶する工程と、上記印刷制御装置が、上記専用ファイルの種別毎に個別に印刷を実行させる印刷実行操作子が設けられた操作画面を表示手段に表示させる工程と、上記印刷制御装置が、上記データベースから読み出したデータに基づいて印刷データを作成する工程とを備えることを特徴としている。
【手続補正１０】
【補正対象書類名】明細書
【補正対象項目名】００２３
【補正方法】変更
【補正の内容】
【００２３】
また、上述した目的を達成する本発明にかかる印刷制御プログラムは、所定の枚葉紙への印刷を行う印刷装置による印刷の制御を行うコンピュータ実行可能な印刷制御プログラムであって、上記印刷装置には、市販されているファイルを組み立て直し可能に分解して得られた当該ファイルの表表紙、裏表紙、及び背表紙を形成する紙部材が給紙されており、当該印刷制御プログラムは、上記コンピュータを、作製したい専用ファイルの種別毎に印刷する各種項目に関するデータをデータベースとして記憶手段に記憶する手段、上記専用ファイルの種別毎に個別に印刷を実行させる印刷実行操作子が設けられた操作画面を表示手段に表示させる手段、及び、上記データベースから読み出したデータに基づいて印刷データを作成する手段として機能させることを特徴としている。
【手続補正１１】
【補正対象書類名】明細書
【補正対象項目名】００２４
【補正方法】変更
【補正の内容】
【００２４】
このような本発明にかかる印刷制御方法及び印刷制御プログラムにおいては、作製したい専用ファイルの種別毎に印刷する各種項目に関するデータをデータベースとして記憶手段に記憶しておき、専用ファイルの種別毎に個別に印刷を実行させる印刷実行操作子が設けられた操作画面を介して操作を行わせ、データベースから読み出したデータに基づいて印刷データを作成する。そして、本発明にかかる印刷制御方法及び印刷制御プログラムにおいては、市販されているファイルを組み立て直し可能に分解して得られた紙部材に対して直接印刷を行わせる。